(57)【要約】【課題】  緊張材の定着部の長さを容易かつ正確に製作することができる緊張材の定着部製作装置及び定着部製作方法を提供すること。【解決手段】  緊張材６を内部に挿入するシース管５と、シース管５の端部から突出させた緊張材６によって形成する定着部と、を有するプレストレストコンクリートの構造を構築するために、前記定着部を製作する際に使用する緊張材６の定着部製作装置１であって、前記緊張材６の端部の位置決めをする定置具２と、前記定着部の端部に装着する環状の堅固環４の移動を拘束する移動式拘束具３と、からなり、前記定着部を形成する部位の緊張材６の長さに応じて前記移動式拘束具３を移動して、その位置に固定可能にしたことを特徴とするものである。【選択図】  図１
2005076400.tif 000002
【特許請求の範囲】
【請求項１】
緊張材を内部に挿入するシース管と、シース管の端部から突出させた緊張材によって形成する定着部と、を有するプレストレストコンクリートの構造を構築するために、前記定着部を製作する際に使用する緊張材の定着部製作装置であって、
前記緊張材の端部の位置決めをする定置具と、
前記定着部の端部に装着する環状の堅固環の移動を拘束する移動式拘束具と、からなり、
前記定着部を形成する部位の緊張材の長さに応じて前記移動式拘束具を移動して、その位置に固定可能にしたことを特徴とする、
緊張材の定着部製作装置。
【請求項２】
緊張材を内部に挿入するシース管と、シース管の端部から突出させた緊張材によって形成する定着部と、を有するプレストレストコンクリートの構造を構築するために、前記定着部を製作する際に使用する緊張材の定着部製作装置であって、
前記緊張材の端部の位置決めをする定置具と、
前記定着部の端部に装着する環状の堅固環の移動を拘束する移動式拘束具と、
前記移動式拘束具をスライドさせる軌条と、からなり、
前記定着部を形成する部位の緊張材の長さに応じて前記移動式拘束具を前記軌条に沿って動かし、所定の位置で前記移動式拘束具を固定可能にしたことを特徴とする、
緊張材の定着部製作装置。
【請求項３】
請求項１又は２に記載の緊張材の定着部製作装置を使用して定着部を製作する緊張材の定着部製作方法であって、
前記緊張材の端部を前記定置具によって位置決めし、
前記定着部を形成する部位の緊張材の長さに応じて前記移動式拘束具を移動し、
前記移動式拘束具が移動しないようにその位置に固定し、
前記堅固環の貫通孔と前記緊張材の隙間に固化材を充填する、
緊張材の定着部製作方法。
【発明の詳細な説明】
【技術分野】
【０００１】
本発明は、緊張材の端部周辺をコンクリートに付着させて定着をおこなうプレストレストコンクリートの構造を構築する際に、定着部を製作するための緊張材の定着部製作装置及び定着部製作方法に関するものである。
【背景技術】
【０００２】
プレストレストコンクリート構造物を構築する際に緊張力を導入するために使用するＰＣケーブルなどの緊張材は、その端部を構造物に固定し、緊張しても移動しないようにしておく。このように緊張材の端部を固定することを定着といい、緊張材を定着した状態で反対側の定着されていない端部をジャッキなどで緊張すると、緊張材を配置したコンクリート構造物に圧縮力（プレストレス）を導入することができる。
従来から緊張材の端部周辺をコンクリート構造物に埋め込み、コンクリートと緊張材の間の付着力によって緊張材を定着する方法が実施されている。この方法では、緊張材の周面積にコンクリートとの単位面積当たりの付着力を乗じた値が、緊張力に抵抗できる大きさになる。そこで、できるだけ広い面積でコンクリートと緊張材の端部周辺が接触するようにするために、緊張材の端部周辺を広げて緊張材同士が接触しないように配置する方法が実施されている。ここで、緊張材で定着部を構成する場合は、定着部の端部には緊張材の広がりを拘束する環状（リング状）の堅固環を配置する。
また、緊張材の端部周辺の定着部はコンクリートに接触させて付着を取ることになるが、その他の部分はシース管に挿入してコンクリートが接触しないようにし、緊張時に鋼線が充分に伸びる状態を確保する必要がある。また、シース管内にコンクリートが浸入すると、シース管を詰まらせ、緊張後にグラウトをシース管内に隙間なく充填できなくなるおそれがある。そこで、堅固環と緊張材の隙間を遮蔽してシース管の外側に打設したコンクリートがシース管の内部に浸入しないようにする必要がある。
【発明の開示】
【発明が解決しようとする課題】
【０００３】
前記した従来の緊張材の定着部にあっては、次のような問題点がある。
＜１＞緊張材の定着部の端部に装着する堅固環は、緊張材が貫通する貫通孔を有する環状部材であり、この貫通孔と緊張材の隙間からコンクリートがシース管の内部に浸入するおそれがある。これを防ぐために隙間に布などを押し込む方法もあるが、確実にコンクリートの浸入を遮蔽する方法とは言い難い。また、この隙間を埋めるシール作業は、緊張材を構造物の内部に設置した後に行うことが多いが、鉄筋に囲まれた狭隘な場所での作業となるため、作業性が劣り、品質の高いシール構造を安定して製作することが難しい。
＜２＞定着部の長さは、導入する緊張力の大きさによって変化する。このため、所望する緊張力に合わせた定着部の長さを確実に確保する必要がある。しかし、緊張材と堅固環の貫通孔の隙間に布などを詰めただけで堅固環に緊張材を固定していない場合は、緊張材を設置するときなどに堅固環が移動して定着部の長さが変化し、所望する定着力を確保できない場合がある。
【課題を解決するための手段】
【０００４】
上記のような目的を達成するために、本発明の緊張材の定着部製作装置は、緊張材を内部に挿入するシース管と、シース管の端部から突出させた緊張材によって形成する定着部と、を有するプレストレストコンクリートの構造を構築するために、前記定着部を製作する際に使用する緊張材の定着部製作装置であって、前記緊張材の端部の位置決めをする定置具と、前記定着部の端部に装着する環状の堅固環の移動を拘束する移動式拘束具と、からなり、前記定着部を形成する部位の緊張材の長さに応じて前記移動式拘束具を移動して、その位置に固定可能にしたことを特徴とするものである。また、前記移動式拘束具をスライドさせる軌条を設けて、前記定着部を形成する部位の緊張材の長さに応じて前記移動式拘束具を前記軌条に沿って動かし、所定の位置で前記移動式拘束具を固定可能にすることもできる。
【０００５】
また、本発明の緊張材の定着部製作方法は、上記した緊張材の定着部製作装置を使用して定着部を製作する緊張材の定着部製作方法であって、前記緊張材の端部を前記定置具によって位置決めし、前記定着部を形成する部位の緊張材の長さに応じて前記移動式拘束具を移動し、前記移動式拘束具が移動しないようにその位置に固定し、前記堅固環の貫通孔と前記緊張材の隙間に固化材を充填する方法である。
【発明の効果】
【０００６】
本発明の緊張材の定着部製作装置及び定着部製作方法は、上記した課題を解決するための手段により、次のような効果の少なくとも一つを得ることができる。
＜１＞緊張材の定着部の長さを容易かつ正確に製作することができる。
＜２＞貫通孔と緊張材の隙間に充填した固化材が硬化した後は、定着部製作装置から緊張材を取り外しても堅固環の位置がずれることがない。このため、工場の管理された状態において、効率的に製作された高品質の定着部を有する緊張材を提供することができる。
【発明を実施するための最良の形態】
【０００７】
以下、図面を参照しながら本発明の実施の形態について説明する。
【０００８】
＜１＞定着部製作装置
定着部製作装置１は、緊張材６を内部に挿入するシース管５の端部から突出させた緊張材６によって形成する定着部を製作するための装置である。定着部製作装置１は、緊張材６の端部の位置決めをする定置具２と、定着部の端部に装着する堅固環４の移動を拘束する移動式拘束具３によって構成する。
その他の構成としては、例えば定置具２や移動式拘束具３を設置する板状の台座１２や、移動式拘束具３の移動方向を案内する軌条１１などが挙げられる。
【０００９】
＜２＞定置具
定置具２は、シース管５から突出した緊張材６の端部の位置決めをするための定規である。通常、緊張材６は全長重量が大きいため、所定の位置に設置すればそのまま動くことはない。このため定置具２は、緊張材６の先端の位置を確認でき、後述する移動式拘束具３との相対的な距離がわかるものであればよい。
例えば、台座１２の端部に板状の定置具２を壁状に固定する。そして、定置具２に端部が接するように緊張材６を配置すれば、緊張材６の位置決めをおこなうことができる。
また、定置具２には、緊張材６の端部を直接的、又は間接的に固定することもできる。通常、緊張材６の端部には定着力を増加させるための抵抗部材として定着板６１が配置されている。また、圧着グリップ６２、セットプレート６３、又はセットプレート６３を定着板６１に締結するための緊結具６４などの部材も取り付けられている。そこで、定置具２とこれらの部材を連結すれば、間接的に緊張材６の端部を定置具２に固定したことになる。
【００１０】
＜３＞堅固環
堅固環４は、緊張材６の定着部の端部に装着する環状部材であり、貫通孔には緊張材６や排気ホース７を挿入する。堅固環４を挟んだ定着部の反対側にはシース管５が配置される。すなわち、堅固環４はシース管５と定着部の境界に配置されることになる。
堅固環４を定着部の端部に配置することによって、緊張材６が広がるのを拘束することができる。例えば、緊張材６を末広がりに広げて定着部を形成した場合、緊張材６を緊張すると折れ曲がった緊張材６が真っ直ぐに伸びようとして定着部の端部のコンクリートを破壊するおそれがある。そこで、緊張材６よりも堅固な材料で形成した堅固環４を定着部の端部に配置することで、緊張材６の広がりとコンクリートの損傷を防止する。
【００１１】
＜４＞移動式拘束具
移動式拘束具３は、堅固環４の移動を拘束する部材である。堅固環４の貫通孔と緊張材６の間には隙間があるため、固化材８によって固定するまでは堅固環４が移動して定着部の長さが変化するおそれがある。このため、移動式拘束具３によって堅固環４の移動を拘束する。特に、緊張材６の端部を広げた場合は、緊張材６の広がろうとする力によって堅固環４が定着部から離れる方向に移動していく。このため、このような堅固環４の移動を移動式拘束具３によって制限する。
移動式拘束具３は、緊張材６の定着部の長さに合わせた位置に移動できるようにした拘束具である。例えば、台座１２の上に軌条１１を設け、軌条１１に沿ってスライド移動するスライド板３３を軌条１１に設置する。スライド板３３には壁型のストッパー３１を設ける。ストッパー３１にはＵ字型に切欠部を設け、緊張材６を設置できるようにする。所定の位置まで移動式拘束具３を移動した後に、スライド板３３に取り付けたボルト等の締結具３２を締め付け、移動式拘束具３が移動しないように固定する（図３参照）。なお、軌条１１を設けない場合は、ストッパー３１の下端に脚を付け、脚を挿入する孔を台座１２に複数設けることによって、孔の開いた位置にストッパー３１（移動式拘束具３）を固定することができる。
【００１２】
また、移動式拘束具３のその他の実施の形態を図４に示す。この実施例では、台座１２に壁１３，１３を並行に２枚設置し、内側に所定の間隔で突起部１４を設ける。そして、突起部１４間でストッパー３１を出し入れすることによって移動式拘束具３を所定の位置まで移動させ、固定する。
【実施例】
【００１３】
以下、図面を参照しながら緊張材の定着部製作方法について説明する。定着部の製作作業は、効率よく品質の高い定着部を安定して製作するために工場でおこなうのが好ましい。
本発明の定着部製作装置１を使用する前処理として、堅固環４の貫通孔に所定の本数の緊張材６を通す。また、必要に応じて定着板６１、圧着グリップ６２、セットプレート６３及び緊結具６４を装着する。また、排気ホース７も貫通孔に挿入し、複数の緊張材６で挟むようにして固定する。
【００１４】
必要な部材を取り付けた緊張材６を、定着部製作装置１に設置する。緊張材６は、端部が定置具２に接するように設置する。そして、定着部の必要とする長さが確保できる位置に移動式拘束具３を移動する。このとき堅固環４は、定置具２と移動式拘束具３の間に配置されるようにする。移動後の移動式拘束具３は、それ以上移動しないように締結具３２を締め付けるなどして固定する。
次に、堅固環４を、移動式拘束具３によって移動が制限される位置まで動かす。緊張材６の端部が広がっている場合は、堅固環４は定置具２の反対側方向にしか自然に動くことはないため、移動式拘束具３に堅固環４を引っ掛けるだけで移動を拘束できる。
【００１５】
所定の位置に堅固環４を設置した後に、堅固環４の貫通孔と挿通した緊張材６の隙間に固化材８を充填する。固化材８には、樹脂モルタル、セメント系固化材、その他の公知の接着剤が使用できる。固化材８は、隙間に充填するだけでなく、堅固環４の表面に盛り付けてもよい（図５参照）。この場合、定着部側のみが盛り上がるように固化材８を盛り付けるのが好ましい。堅固環４の反対側の面には定着部を製作した後にシース管５を取り付けるので、平滑な状態を維持しておいた方が取り付けは容易になるからである。
固化材８が硬化した後は、緊張材６を定着部製作装置１から取り外しても、堅固環４の位置がずれて緊張材６の定着部の長さが変化することはない。このため、固化材８が硬化した後に緊張材６を現場に搬送する。現場に搬入した緊張材６は、定着部の反対側の端部からシース管５に挿入する。堅固環４とシース管５の接合部は粘着テープ４１などによって固定する（図５参照）。
本発明では、緊張材６と堅固環４の貫通孔の隙間は固化材８によって確実に遮蔽されているため、定着部の周囲に打設したコンクリートがシース管５の内部に浸入することがない。また、固化材８によって堅固環４が緊張材６に固定されているため、緊張材６を現場に設置するときに堅固環４が移動して定着部の長さが変化してしまうこともない。
【図面の簡単な説明】
【００１６】
【図１】本発明の緊張材の定着部製作装置の実施例の平面図。
【図２】本発明の緊張材の定着部製作装置の実施例の断面図。
【図３】緊張材の定着部製作装置の実施例の斜視図。
【図４】緊張材の定着部製作装置の別の実施例の斜視図。
【図５】定着部を製作した緊張材にシース管を装着した実施例の斜視図。
【符号の説明】
【００１７】
１・・・定着部製作装置
１１・・軌条
２・・・定置具
３・・・移動式拘束具
４・・・堅固環
５・・・シース管
６・・・緊張材
８・・・固化材
【図１】
2005076400.tif 000003
【図２】
2005076400.tif 000004
【図３】
2005076400.tif 000005
【図４】
2005076400.tif 000006
【図５】
2005076400.tif 000007